(57)【特許請求の範囲】
【請求項１】
被取付面に取り付けられる本体と、前記本体に着脱可能に装着される光源モジュールとを備えた照明装置において、
前記光源モジュールは、前記光源モジュールの上面に設けられたコの字状のバネが前記本体の溝部の天面に設けられたバネ受けに係合することにより前記本体に装着され、
前記本体又は前記光源モジュールは、前記光源モジュールに電気を供給する電源ボックスを有し、
前記電源ボックスは、前記電源ボックスの重心が前記照明装置の幅方向における中央部に位置するように配置されて設置されていることを特徴とする照明装置。
【請求項２】
被取付面に取り付けられる本体と、前記本体に着脱可能に装着される光源モジュールとを備えた照明装置において、
前記光源モジュールは、前記本体の溝部の天面に設けられたコの字状のバネが前記光源モジュールの上面に設けられたバネ受けに係合することにより前記本体に装着され、
前記本体又は前記光源モジュールは、前記光源モジュールに電気を供給する電源ボックスを有し、
前記電源ボックスは、前記電源ボックスの重心が前記照明装置の幅方向における中央部に位置するように配置されて設置されていることを特徴とする照明装置。
【請求項３】
請求項１又は請求項２のいずれかに記載された照明装置であって、ケーブルが、前記電源ボックスと前記被取付面との間に収納されていることを特徴とする照明装置。
【請求項４】
請求項３のいずれかに記載された照明装置であって、前記ケーブルは、前記電源ボックスの上方に設けられた空隙内に配置されていることを特徴とする照明装置。
【請求項５】
請求項４に記載された照明装置であって、前記空隙は、前記電源ボックスの上面と前記本体との間に形成されていることを特徴とする照明装置。
【請求項６】
請求項３乃至請求項５のいずれかに記載された照明装置であって、前記ケーブルは、前記電源ボックスの重心上に配置されていることを特徴とする照明装置。
【発明の詳細な説明】
【技術分野】
【０００１】
本発明は、例えば、主に、事業所や店舗等の商業施設等の比較的広い施設の天井面に設置される直管型のＬＥＤ照明装置の改良に関し、特に、取付及び組付作業を簡易にかつ安全に行うことに関するものである。
【背景技術】
【０００２】
近年、環境意識の高まりから、省電力化に優れたＬＥＤ素子を光源に使用した、電源内蔵型のＬＥＤランプが普及してきた。特に、最近は、比較的長尺の直管蛍光灯ランプの代替製品としても、長尺のＬＥＤモジュールを備えた直管型ＬＥＤ照明装置が開発され、市場に導入されるに至っている。
【０００３】
このような直管型のＬＥＤ照明装置は、一般に、天井面等の被取付面に取り付けられる本体と、この本体に装着されるＬＥＤモジュール等の光源モジュールとを備え、本体又は光源モジュールのいずれかに、照明装置に電気を供給するための電源ボックスが配置されている（例えば、特許文献１等参照）。この場合、図３及び図４に示すように、この電源ボックス２４は、本体１２（又は光源モジュール１４）の幅方向における中央部Ｃ（図３参照）から左右のどちらかに偏って配置されていた。これは、図３に示すように、照明装置１０内において、電源等に接続されて照明装置１０に給電するための平型ビニル外装ケーブル（ＶＶＦケーブル）１等を配線するスペースを設けるためである。そのため、図４に示すように、電源ボックス２４の幅方向における中央部Ｃ２（図３参照）が、照明装置１０の幅方向における中央部Ｃ（図３参照）と一致せず、電源ボックス２４の重心が、照明装置１０の重心から、ずれていた。
【０００４】
しかし、このように電源ボックスが、照明装置内において、左右のどちらかに偏って配置されていると、この電源ボックスが比較的重量が重いことから、重心が不均衡となる。この場合、照明装置は、作業者が、脚立に乗りながら手で照明装置を下方から支持しながら取付作業を行うため、このように重心が不均衡であると、天井面等の被取付面等に取り付ける際に、バランスを取りながら作業をすることが必要になるため、手間を要すると共に、照明装置がバランスを失い傾くと、一気に落下するおそれもあった。
【０００５】
この場合、一方で、電源ボックスを照明装置の中心に配置すると、ＶＶＦケーブル等の配線スペースを確保することができず、そのスペースを確保しようとすると、電源ボックスの両脇に大きな空間を設定する必要が生じ、いきおい本体や光源モジュールが大型化する問題が生ずる。
【先行技術文献】
【特許文献】
【０００６】
【特許文献１】特開２０１０−１３５２６３号公報
【発明の概要】
【発明が解決しようとする課題】
【０００７】
本発明が解決しようとする課題は、上記の問題点に鑑み、コンパクトさ維持しつつ、良好なバランスを有し、簡易にかつ安全に取り付けることができる照明装置を提供することにある。
【課題を解決するための手段】
【０００８】
本発明は、上記の課題を解決するための第１の手段として、被取付面に取り付けられる本体と、この本体に着脱可能に装着される光源モジュールとを備えた照明装置において、光源モジュールは、光源モジュールの上面に設けられたコの字状のバネが本体の溝部の天面に設けられたバネ受けに係合することにより本体に装着され、本体又は光源モジュールは、光源モジュールに電気を供給する電源ボックスを有し、この電源ボックスは、電源ボックスの重心が照明装置の幅方向における中央部に位置するように配置されて設置され、ケーブルがこの電源ボックスの上方に設置されていることを特徴とする照明装置を提供するものである。
【０００９】
また、本発明は、上記の課題を解決するための第２の手段として、被取付面に取り付けられる本体と、この本体に着脱可能に装着される光源モジュールとを備えた照明装置において、光源モジュールは、本体の溝部の天面に設けられたコの字状のバネが前記光源モジュールの上面に設けられたバネ受けに係合することにより前記本体に装着され、本体又は光源モジュールは、光源モジュールに電気を供給する電源ボックスを有し、この電源ボックスは、電源ボックスの重心が照明装置の幅方向における中央部に位置するように配置されて設置され、ケーブルがこの電源ボックスの上方に設置されていることを特徴とする照明装置を提供するものである。
【００１０】
本発明は、上記の課題を解決するための第３の手段として、上記第１又は第２のいずれかの解決手段において、ケーブルが、電源ボックスと被取付面との間に収納されていることを特徴とする照明装置を提供するものである。
【００１１】
本発明は、上記の課題を解決するための第４の手段として、上記第３の解決手段において、ケーブルは、電源ボックスの上方に設けられた空隙内に配置されていることを特徴とする照明装置を提供するものである。
【００１２】
本発明は、上記の課題を解決するための第５の手段として、上記第４の解決手段において、空隙は、電源ボックスの上面と本体との間に形成されていることを特徴とする照明装置を提供するものである。
【００１３】
本発明は、上記の課題を解決するための第６の手段として、上記第３乃至第５のいずれかの解決手段において、ケーブルは、電源ボックスの重心上に配置されていることを特徴とする照明装置を提供するものである。
【発明の効果】
【００１４】
本発明によれば、上記のように、電源ボックスは、電源ボックスの重心が照明装置の幅方向における中央部に位置するように配置されて設置されているため、重心が中央に集まって均衡が取れているため、取付作業の際に作業者がバランスを取りやすく、簡易にかつ安全に電源ボックスを有する本体又は光源モジュールを取り付けることができる実益がある。
【００１５】
また、本発明によれば、上記のように、電源ボックスを照明装置の中心に配置しつつ、ケーブルを、照明装置内において、この電源ボックスの上方に配置しているため、ＶＶＦケ−ブル等のケーブルをコンパクトに収納することができる実益がある。
【００１６】
この場合、本発明によれば、上記のように、このＶＶＦケーブル等のケーブルは、電源ボックスの重心上に配置されているため、重心の均衡に影響を与えることなく、良好なバランスによる取扱い性の高さを維持することができる実益がある。
【００１７】
更に、この場合、本発明によれば、上記のように、電源ボックスの上方に設けられた空隙内に配置されているため、この空隙に少なくとも電源ボックスの幅の範囲内において複数のケーブルを収納することができ、例えば、他の照明装置に接続すべきケーブルをも配置して、その通り道として活用することもでき、見栄え良く配線作業を行うことができる実益もある。
【図面の簡単な説明】
【００１８】
【図１】本発明の照明装置の縦断面図である。
【図２】本発明の照明装置に用いられる電源ボックスが搭載された光源モジュールの平面図である。
【図３】従来の照明装置の縦断面図である。
【図４】従来の照明装置に用いられる電源ボックスが搭載された光源モジュールの平面図である。
【発明を実施するための形態】
【００１９】
本発明の実施の形態について図面を参照しながら詳細に説明すると図１は、本発明の照明装置１０を示し、この照明装置１０は、例えば、事業所や店舗等の商業施設等天井面に多数設置されて、比較的の広いスペースを照射するために用いられる。この照明装置１０は、図１に示すように、長尺の直管型の照明装置１０であって、天井面等の被取付面に取り付けられる本体１２と、この本体１２に装着される光源モジュール１４とを備えている。
【００２０】
（１．本体）
本体１２は、図１に示すように、中央に設けられた凹部状の溝部１２Ａと、この溝部１２Ａの長手方向における両端面から延びるようにして形成されたテーパー部１２Ｂとを備え、溝部１２Ａの天面に形成された図示しない取付孔を通じて図示しないアンカーボルトにより天井面等の被取付面に直付けされる。この溝部１２Ａには、図１に示すように、天面１２ａと、この天面１２ａの両端から立ち上がるようにして形成された内側壁面１２ｂとを有し、光源モジュール１４を装着した場合にその一部、具体的には、図示の実施の形態においては、ＬＥＤモジュール２に搭載されている後述する電源ボックス２４等も収容される。なお、この本体１２は、例えば、比較的軽量で放熱性の高いカラー鋼板等の金属製材料をプレス加工等することにより形成することができる。
【００２１】
（２．光源モジュール）
一方、光源モジュール１４は、図１及び図２に示すように、本体１２の溝部１２Ａに対応した長尺状の形状に形成されている。なお、この光源モジュール１４としては、特に限定はなく、直管型蛍光灯ユニット等を使用することもできるが、ＬＥＤモジュールとすることが望ましい。ＬＥＤモジュールとした場合には、光源モジュール１４は、図１及び図２に示すように、放熱板１６と、この放熱板１６に装着されるＬＥＤ基板１８と、このＬＥＤ基板１８に実装される複数のＬＥＤ素子２０と、これらのＬＥＤ基板１８及びＬＥＤ素子２０を覆うように設けられた透光性カバー２２と、更に、光源モジュール１４に電気を供給する電源ボックス２４を備えている。
【００２２】
（２．−１  放熱板）
放熱板１６は、ＬＥＤ基板１８から発生した熱を放熱する機能を有し、特に図１に示すように、底面部１６Ａと両壁面部１６Ｂとから成る断面略コの字状の形状を有する。更にこの放熱板１６は、特に図１に示すように、両壁面部１６Ｂの上端を底面部１６Ａ側へ向けて折り返して形成された折り返し部１６Ｃを有する。この折り返し部１６Ｃにより、放熱板１６の強度が向上し、特に、比較的重い電源ボックス２４を搭載しても、光源モジュール１４に撓み等の変形が生じるのを防止することができる。なお、この放熱板１６は、アルミニウムを押出成形することにより、一体成形することができる。
【００２３】
（２．−２  ＬＥＤ基板及びＬＥＤ素子）
ＬＥＤ基板１８は、ガラスコンポジット基板（ＣＥＭ−３）から成り、図１に示すように、一方の面にＬＥＤ素子１８が実装されている。このＬＥＤ基板１８は、図示しない絶縁シートを介して、発光に伴う熱を放熱する放熱効率を上げるために放熱板１６に装着することが望ましい。但し、絶縁シートは、必要に応じて設置すれば足り、必ずしも向ける必要はない。なお、ＬＥＤ素子２０としては、公知の種々のＬＥＤを用いることができる。図示の実施の形態では、照明用の白色光を発光する高輝度タイプのＬＥＤ素子が用いられている。
【００２４】
また、この光源モジュール１４内に配置されるＬＥＤ基板１８の形状やＬＥＤ素子２０の配置については、特に限定はないが、例えば、ＬＥＤ基板１８の両端（長手方向の始端と終端）付近において実装されるＬＥＤ素子２０の密度を、ＬＥＤ基板１８の中央部付近に配置されるＬＥＤ素子２０の密度よりも高めて集中的に配置することが望ましい。これにより、照明装置１０の両端における光度の減少を抑制することができると共に、特に、複数の照明装置１０を天井面において連結して連続して配置する場合においても、照明装置１０間に連結部分における明るさの減少を抑制して、光の連続性を維持して、直線状の発光を確保することができる。
【００２５】
なお、図示の実施の形態では、光源モジュール１４、ひいてはその内部に装填されるＬＥＤ基板１８は、平板状に形成されているが、光の拡散効率を考慮して、光源モジュール１８を逆Ｖ字型に形成して、その各々の斜面にＬＥＤ基板１８を逆Ｖ字型に配置することや、フレキシブルなＬＥＤ基板１８を逆Ｖ字型に折り曲げて配置することもできる。
【００２６】
（２．−３  電源ボックス）
また、電源ボックス２４は、図１及び図２に示すように、光源モジュール１４において、ＬＥＤ基板１８の裏側、即ち、ＬＥＤ素子２０が実装されている面（天井面に設置した場合の床面側）とは反対側の面に設置されている。具体的には、電源ボックス２４は、図１及び図２に示すように、放熱板１６のうちＬＥＤ基板１８が装着された面とは反対側の面に搭載される。これは、光源モジュール１４を、本体１２に装着した場合に、電源ボックス２４を、本体１２の溝部１２Ａ内に収容するためである。
【００２７】
この場合、本発明においては、電源ボックス２４は、図１及び図２に示すように、電源ボックス２４の重心が、照明装置１０の幅方向における中央部Ｃ（図１及び図２参照）に位置するように配置されて設置されている。具体的には、電源ボックス２４は、その重心が、図１に示すように、照明装置１０の重心と一致する位置に配置される。この場合、通常は、図２に示すように、光源モジュール１４において、電源ボックス２４を、放熱板１６の左右の両壁面部１６Ｂから均等の距離を置いた位置に設置すれば足りる。
【００２８】
これにより、電源ボックス２４を照明装置１０の幅方向における中央部Ｃ（図１及び図２参照）に配置することができ、電源ボックス２４の重心が照明装置１０の幅方向における中央部Ｃ（図１及び図２参照）に位置するように配置されて設置されるため、重心が中央に集まって均衡が取れるので、取付作業の際に作業者がバランスを取りやすく、簡易にかつ安全に電源ボックス２４を有する光源モジュール１４を取り付けることができる。
【００２９】
また、この場合、本発明においては、ケーブル１は、図１に示すように、照明装置１０内において、この電源ボックス２４の上方に設置されている。具体的には、本発明の照明装置１０では、特に図１に示すように、この電源ボックス２４の上方に空隙２６が設けられ、平型ビニル外装ケーブル（ＶＶＦケーブル）等のケーブル１１は、この空隙２６内に配置されることにより、電源ボックス２４と被取付面との間に収納される。この空隙２６は、図１に示すように、電源ボックス２４の高さを、本体１２の溝部１２Ａの高さ（深さ）よりも低く設定することにより、電源ボックス２４の上面と本体１２（の溝部１２Ａの天面）との間に形成される。これにより、電源ボックス２４を照明装置１０の中心に配置しつつ、ケーブル１を、照明装置１０内において、この空隙２６により電源ボックス２４の上方に配置することができるため、特に照明装置１０の幅方向におけるサイズを拡げることなく、ＶＶＦケ−ブル等のケーブルをコンパクトに収納することができる。また、この空隙２６は、図１に示すように、電源ボックス２４の幅方向全体にわたって形成されているため、この空隙２６に少なくとも電源ボックス２４の幅の範囲内において複数のケーブル１を収納することができ、例えば、他の照明装置１０に接続すべきケーブル１をも配置して、その通り道として活用することもでき、見栄え良く配線作業を行うこともできる。
【００３０】
また、この場合、ケーブル１は、図１に示すように、電源ボックス２４の重心上、即ち、電源ボックス２４の幅方向における中央部に配置することが望ましい。これにより、図１に示すように、重心の均衡に影響を与えることなく、良好なバランスによる取扱い性の高さを維持することができる。但し、ケーブル１が重心に与える影響はそれ程大きくはないため、必要に応じて、ケーブル１を、空隙２６内において、電源ボックス２４のいずれかの側面側に偏って配置することもでき、また、複数のケーブル１を配置する場合にも必ずしも均等な配置で収納することは要しない。
【００３１】
更に、電源ボックス２４は、図１に示すように、内部に収納された点灯回路等の各種電子部品２８のカバーとしての役割を有するが、この場合、これらの各種電子部品２８も、できるだけ、照明装置１０の重心に影響を与えないように配置することが望ましい。具体的には、例えば、図１に示すように、複数の電子部品２８を、電源ボックス２４の中央を避けて、電源ボックス２４内の両端側において、幅方向における中央部を境に左右均等に配置することにより、電源ボックス２４自体の重心を幅方向における中央部に設定することができる。一方、図１に示す実施の形態と異なり、電子部品２８を、電源ボックス２４の幅方向における中央部、即ち、照明装置１０の重心上に設置することにより、バランスを取ることもできる。但し、例えば、電源ボックス２４内の片端のみに偏って電子部品２８を設置する等の極端な配置を除けば、必ずしも、電子部品２８の配置及び重量とも厳密に左右均等とする必要はない。
【００３２】
また、図示の実施の形態では、本体１２を被取付面から取り外すことなく、光源モジュール１４を本体１２から取り外すだけで、容易に保守や交換等のメンテナンスを行うことができるように、この電源ボックス２４を、光源モジュール１４側に設置したが、必ずしも、この形態に限定されるものではなく、重心にさえ配慮すれば、図示の実施の形態と異なり、本体１２側に設置することもできる。
【００３３】
（２．−４  透光性カバー）
更に、透光性カバー２２は、図１に示すように、本体１２のテーパー部１２Ｂに図に続くなだらかなテーパー面に形成され、照明装置１０として優れた意匠性を発揮している。なお、この透光性カバー２２は、図１に示すように、光源モジュール１４の長手方向における端末部からスライドさせて組み立てるため、放熱板１６の折曲部１６Ｂと嵌合しており、落下の虞がない。
【００３４】
（２．−５  反射手段）
なお、光源モジュール１４には、図示はしないが、ＬＥＤ基板１８に沿って設けられ、ＬＥＤ素子２０からの発光を照射すべき方向に反射する反射手段をも設けることが望ましい。この反射手段により、光の照射が必要な前面側（天井面に設置した場合における床面側）へ集中して光を照射することができ、照明装置１０全体における照射効率を向上させることができる。
【００３５】
この反射手段としては、具体的には、反射シートを使用することができる。この反射シートは、ＬＥＤ基板１８のうち、ＬＥＤ素子２０の実装面側（天井面に取り付けた場合の床面側）においてＬＥＤ素子２０の両側に連続して設けられ、ＬＥＤ基板１８を放熱板１６等に固定するためのプラスチックリベットにより、ＬＥＤ基板１８と共に固定されることにより、ＬＥＤ基板１８に沿って設けられる。この反射シートとしては、具体的には、発泡ポリエチレンテレフタレートから形成された樹脂シート等を使用することができる。なお、この反射シートは、図示しないテープや接着剤でＬＥＤ基板１８に設置することもできる。但し、反射手段は、この反射シートに限定されるものではなく、他に、例えば、ＬＥＤ基板１８の実装面に塗布された高反射用樹脂を使用することもできる。
【００３６】
（３．本体へのＬＥＤモジュールの装着）
なお、本体１２へのＬＥＤモジュール１４の装着については、特に限定はなく、適宜の手段を用いることができるが、本体１２に設けられた図示しないバネ受けと、光源モジュール１４に設けられてこのバネ受けに係合する図２に示すバネ３０とを用いることができる。但し、本体１２側にバネを、光源モジュール１４側にバネ受けを設置することもできる。
【産業上の利用可能性】
【００３７】
本発明は、例えば、主に、事業所や店舗等の商業施設等の比較的広い施設の天井面に設置される直管型の照明装置１０その他の照明装置に広く適用することができる。
【符号の説明】
【００３８】
１  ケーブル
１０  照明装置
１２  本体
１２Ａ  溝部
１２Ｂ  テーパー部
１２ａ  天面
１２ｂ  内側壁面
１４  光源モジュール
１６  放熱板
１６Ａ  底面部
１６Ｂ  壁面部
１６Ｃ  折り返し部
１８  ＬＥＤ基板
２０  ＬＥＤ素子
２２  透光性カバー
２４  電源ボックス
２６  空隙
２８  電子部品
３０  バネ
３２  ケーブル収納部
Ｃ  照明装置の幅方向における中央部
Ｃ２  電源ボックスの幅方向における中央部
【図１】
0006430767.tif 000002
【図２】
0006430767.tif 000003
【図３】
0006430767.tif 000004
【図４】
0006430767.tif 000005